(57)【要約】【課題】長期使用におけるチューブの損傷と漏水回避に有効な床暖房パネルを得る。【解決手段】側面に開かれた一つの溝口１１ａから他の溝口１１ｂへと続くパイプ嵌込溝１２が表面に設けられており、嵌込溝の溝縁１５を含む表面１６が金属によって構成されており、溝口１１ａ・１１ｂを向かい合わせて床下地面１３に敷き詰めて施工されるパイプ配管用床暖房パネル１４において、溝口の口幅Ｗを嵌込溝の溝幅Ｌよりも広くする。その溝口の口幅Ｗは、嵌込溝１２の一端の溝口１１ａの口幅Ｗが他端の溝口側１１ｂへ２ｍｍ以上入り込んだ位置Ｐにおける嵌込溝の溝幅Ｌよりも２ｍｍ以上広くなるようにするとよい。溝口１１において向かい合う嵌込溝１２の溝壁面１７ａ・１７ｂは、溝口１１から２ｍｍ以上入り込んだ位置Ｐに到るまで、溝幅（Ｌ）がラッパ状に漸次挟まる彎曲面にするとよい。【選択図】図１
2007120806.tif 000002
【特許請求の範囲】
【請求項１】
側面に開かれた一つの溝口（１１ａ）から他の溝口（１１ｂ）へと続くパイプ嵌込溝（１２）が表面に設けられており、溝口（１１ａ・１１ｂ）を向かい合わせて床下地面（１３）に敷き詰めて施工されるパイプ配管用床暖房パネル（１４）において、溝口の口幅（Ｗ）が嵌込溝の溝幅（Ｌ）よりも広くなっており、嵌込溝の溝縁（１５）を含む表面（１６）が金属によって構成されている床暖房パネル。
【請求項２】
嵌込溝（１２）の一端の溝口（１１ａ）の口幅（Ｗ）が他端の溝口側（１１ｂ）へ２ｍｍ以上入り込んだ位置（Ｐ）における嵌込溝の溝幅（Ｌ）よりも２ｍｍ以上広い前掲請求項１に記載の床暖房パネル。
【請求項３】
溝口（１１）において向かい合う嵌込溝（１２）の溝壁面（１７ａ・１７ｂ）が、溝口（１１）から２ｍｍ以上入り込んだ位置（Ｐ）に到るまで、溝幅（Ｌ）が漸次挟まる彎曲面を形成している前掲請求項１と２の何れかに記載の床暖房パネル。
【請求項４】
床暖房パネルが、矩形の一辺（１８）の中央部に欠き込まれた切欠き（１９）を有するコ字形状を成し、嵌込溝（１２）の一端の溝口（１１ｂ）が、その切欠き（１９）を縁取る周縁に設けられている前掲請求項１と２と３の何れかに記載の床暖房パネル。
【請求項５】
切欠き（１９）が、矩形の一辺（１８）の中央部を矩形状に欠き込んだ三辺で縁取られる矩形状切欠きであり、その矩形状に縁取る三辺の中の中央の奥まった位置の一辺（２０）の側面から、その奥まった位置の一辺（２０）に向かい合ってコ字形状を成す床暖房パネルの縁取りの一辺（２１）の側面まで嵌込溝（１２）が続いている前掲請求項４に記載の床暖房パネル。
【発明の詳細な説明】
【技術分野】
【０００１】
本発明は、側面に開かれた一つの溝口から他の溝口へと続くパイプ嵌込溝が表面に設けられており、溝口と溝口を向かい合わせて床下地面に敷き詰めて施工されるパイプ配管用床暖房パネルに関するものである。
【背景技術】
【０００２】
床暖房パネル１４の嵌込溝１２の溝幅Ｌは一端の溝口１１ａから他端の溝口１１ｂまで一定になっており、嵌込溝の溝縁１５を含む床暖房パネルの表面はアルミニウム等の金属で構成されている（例えば、特許文献１、２参照）。
嵌込溝１２の深さは溝幅Ｌよりも稍々浅くなっている。
嵌込溝１２には、その溝幅Ｌと略同じ太さの可撓なポリエチレン樹脂製チューブ２２を嵌め込み、その上に施工する床材によってチューブ２２を押し潰して嵌込溝１２の溝壁面と床材の裏面に密着させ、チューブ２２から床材の裏面へと熱が均一に伝わるようにしている。
チューブ２２の配管においては、チューブとチューブの接続部での漏水防止のために、チューブの端末を床下地の下に突き出し、床下地の下側でチューブとチューブを接続している（例えば、特許文献１）。
【０００３】
【特許文献１】特公平６−２７２８８６号特許公報
【特許文献２】特許第２８９３４０１号特許公報
【発明の開示】
【発明が解決しようとする課題】
【０００４】
漏水防止のためには、溝口１１ａ・１１ｂを突き合わせて施工された床暖房パネルの施工面の嵌込溝１２の全長にわたって、チューブ２２を接続することなく連続して嵌込溝に嵌め込むことが望まれる。とは言え、嵌込溝１２の全長にわたって連続したチューブ２２を使用しても、長期の使用においては時として漏水が発生する。
【０００５】
床暖房装置の専門施工業者として漏水修理を含む床暖房装置の維持管理を長年手掛けてきている本発明者は、その長年の経験からして、（１）  漏水の多くが床暖房パネルの継ぎ目２４において発生し易い、（２）  その漏水の発生した床暖房パネルの継ぎ目２４の部分では、チューブ２２の嵌込溝の溝口１１ａ・１１ｂの周縁２３に触れる部分が損傷し易い、との知見を得ている。
そこで、チューブ２２の溝口１１に触れる部分にテープを巻き付けてチューブの周面を補強し保護することとしている。
然しながら、（１）  配管時に嵌込溝の継ぎ目毎に保護テープを巻き付けるには多大な手間暇が掛かり、（２）  往々にして保護テープの付け忘れがあり、（３）  その巻き付けた保護テープと継ぎ目２４との間に位置ズレも起き易く、（４）  全ての施工業者が保護テープを使用するとは限らない。
【０００６】
そこで、保護テープを使用せずに嵌込溝の継ぎ目でのチューブの損傷を回避する方法を鋭意検討するに、床暖房パネル１４が金属板をプレス加工する等して構成されており、床暖房装置のオン・オフを繰り返す度に床暖房パネルが熱膨張して伸縮し、隣合う床暖房パネルの温度差、隣合う床暖房パネル間の触れ合い具合や、床下地や表面床材と床暖房パネルとの触れ合い具合等の相違等によって、突き合わされている溝口１１ａと溝口１１ｂの間に位置ズレρがオン・オフを繰り返す度に生じ、その位置ズレに伴って向かい合う一方の床暖房パネルの溝口の周縁２３と他方の床暖房パネルの溝口の周縁２３との間に位置ズレρに伴う剪断応力がチューブ２２の周面に集中して作用し、チューブ２２が曲折して溝口の周縁２３に触れ合い（図３）、その位置ズレρや剪断応力が、溝口の周縁２３にチューブ２２の周面が軽く触れる程度の僅かなものであっても、長期にわたって繰り返されるときは、その溝口の周縁２３に触れ合う箇所が次第に摩耗して漏水を惹起する程度の損傷２８となるとの知見を得た。
【０００７】
〔目的〕
本発明は、専門施工業者として２０年を超える床暖房装置の施工と維持管理の長年の経験から得られた上記知見に基づいて完成されたものであり、長期使用におけるチューブの損傷と漏水回避に有効な床暖房パネルを提供することを目的とする。
【課題を解決するための手段】
【０００８】
本発明に係る床暖房パネルは、側面に開かれた一つの溝口１１ａから他の溝口１１ｂへと続くパイプ嵌込溝１２が表面に設けられており、溝口１１ａ・１１ｂを向かい合わせて床下地面１３に敷き詰めて施工されるパイプ配管用床暖房パネル１４において、溝口の口幅Ｗが嵌込溝の溝幅Ｌよりも広くなっており、嵌込溝の溝縁１５を含む表面１６が金属によって構成されていることを第１の特徴とする。
【０００９】
本発明に係る床暖房パネルの第２の特徴は、上記第１の特徴に加えて、嵌込溝１２の一端の溝口１１ａの口幅Ｗが他端の溝口側１１ｂへ２ｍｍ以上入り込んだ位置Ｐにおける嵌込溝の溝幅Ｌよりも２ｍｍ以上広い点にある。
【００１０】
本発明に係る床暖房パネルの第３の特徴は、上記第１および第２の何れかの特徴に加えて、溝口１１において向かい合う嵌込溝１２の溝壁面１７ａ・１７ｂが、溝口１１から２ｍｍ以上入り込んだ位置Ｐに到るまで、溝幅（Ｌ）が漸次挟まる彎曲面を形成している点にある。
【００１１】
本発明に係る床暖房パネルの第４の特徴は、上記第１、第２および第３の何れかの特徴に加えて、床暖房パネルが、矩形の一辺１８の中央部に欠き込まれた切欠き１９を有するコ字形状を成し、嵌込溝１２の一端の溝口１１ｂが、その切欠き１９を縁取る周縁に設けられている点にある。
【００１２】
本発明に係る床暖房パネルの第５の特徴は、上記第４の特徴に加えて、切欠き１９が、矩形の一辺１８の中央部を矩形状に欠き込んだ三辺で縁取られる矩形状切欠きであり、その矩形状に縁取る三辺の中の中央の奥まった位置の一辺２０の側面から、その奥まった位置の一辺２０に向かい合ってコ字形状を成す床暖房パネルの縁取りの一辺２１の側面まで嵌込溝１２が続いている点にある。
【発明の効果】
【００１３】
本発明の床暖房パネルでは、溝口１１の口幅Ｗが溝幅Ｌよりも広くなっているので、突き合わせて施工された一方の床暖房パネルの溝口１１ａと他方の床暖房パネルの溝口１１ｂの間に位置ズレρが生じてチューブ２２が曲折しても、向かい合う一方の床暖房パネルの溝口の周縁２３と他方の床暖房パネルの溝口の周縁２３との間に位置ズレρに伴う剪断応力がチューブ２２の周面に集中して作用することがなく、又、溝口の周縁２３とチューブの周面が強く擦れ合うことがなく（図２）、突き合わされた嵌込溝１２と嵌込溝１２との間の継ぎ目２４においてチューブ２２に損傷２８が発生することがなく、床暖房装置の長期使用における漏水が回避される。
【００１４】
大別すると、図１に図示するように、床暖房パネル１４には、給温装置（図示せず）から送り出される温液を導く往路用チューブ２２ａを収容する往路嵌込溝１２ａと、床面を加温して給温装置へと還流する低温液を導く復路用チューブを収容する復路嵌込溝１２ａとの２条の嵌込溝が平行している細長い矩形本体パネル１４ａと、往路用チューブ２２ａと復路用チューブ２２ｂの一方または双方を折り曲げて方向を変える曲折した嵌込溝を有する接続パネル１４ｂと、本体パネル１４ａや接続パネル１４ｂに配管されている往路用チューブ２２ａと復路用チューブ２２ｂを集束して給温装置に接続するための往路嵌込溝１２ａと復路嵌込溝１２ｂの間の距離が漸次狭くなった出入口パネル１４ｃとの３種類のものがある。
そして、接続パネル１４ｂには、配管の仕方によって往路嵌込溝と復路嵌込溝の一方または双方の曲折形状が異なる数種類のパネル（１４ｂ−１，１４ｂ−２，１４ｂ−３）がある。
接続パネル１４ｂと出入口パネル１４ｃは、本体パネル１４ａに比して短く、概して正方形状を成している。
【００１５】
床暖房パネルの施工面２５には、多数の床暖房パネルが碁盤の目のように配置されており、施工面２５の隅に位置する出入口パネル１４ｃには、それに続く複数枚の床暖房パネルの位置ズレρが集積される恰好になる。
加えて、出入口パネル１４ｃでは、往路用チューブ２２ａと復路用チューブ２２ｂとの温度差が大きく、その位置ズレρも大きく現れ易い。
その点において、本発明は、出入口パネル１４ｃでの漏水予防に有効である。
【００１６】
その出入口パネル１４ｃを、矩形の一辺１８の中央部に欠き込まれた切欠き１９を有するコ字形状にし、その切欠き１９を縁取る周縁に嵌込溝１２ａ・１２ｂの溝口１１ａ・１１ｂを設けると（図１）、その切欠き１９に往路用チューブ２２ａと復路用チューブ２２ｂを集束して床下へと突き出すことによって、チューブ２２ａ・２２ｂと給温装置との接続作業がし易くなり、その接続箇所で仮に漏水が生じても発見し易く、又、漏水によって床面（図示せず）が濡れることもなくなる。
従って、本発明は、床暖房装置の施工と維持管理の上で頗る好都合である。
【発明を実施するための最良の形態】
【００１７】
本発明は、本体パネル１４ａや出入口パネル１４ｃのみならず各種の接結パネル１４ｂ（１４ｂ−１，１４ｂ−２，１４ｂ−３）に適用される。チューブ２２には架橋型ポリエチレン製の硬質のものが慣用されており、その外径は概して１０ｍｍ又は１３ｍｍになっている。従って、チューブ２２の上面が嵌込溝１２から食み出し、その食み出たチューブ２２の上面によって床材が押し上げられて床材と床暖房パネル１４の表面１６の間に隙間が出来て、床暖房パネル１４から床材への熱伝導が妨げられることがないように、嵌込溝の溝幅Ｌと深さをそれぞれチューブ２２の外径に合わせて１０ｍｍ又は１３ｍｍとし、チューブ２２が嵌込溝１２の溝壁面に綺麗に密着するようにするとよい。
【００１８】
そのように嵌込溝の溝幅Ｌを１０ｍｍとする場合、溝口１１ａの口幅Ｗは、その溝口１１ａに対応する嵌込溝１２の他端の溝口側１１ｂに向けて２ｍｍ以上入り込んだ位置Ｐにおける嵌込溝の溝幅Ｌよりも２ｍｍ以上広くする。
しかし、嵌込溝の溝幅Ｌは、そこに嵌め込むチューブ２２の太さに応じて設定されるべきであり、その溝幅Ｌを１０ｍｍ未満または１１ｍｍ以上とする場合、溝口の口幅Ｗや、溝幅Ｌが広くなる位置Ｐから溝口までの距離Ｑは、溝幅Ｌが１０ｍｍの場合を基準として比例算によって設定される。
【００１９】
即ち、溝口付近の溝壁面１７が、溝幅Ｌの０．２倍以上、好ましくは、０．２〜０．５倍の曲率半径Ｒ（＝０．２Ｌ〜０．５Ｌ）の彎曲面を形成するようにする。
具体的に言えば、溝幅Ｌが１０ｍｍの場合、溝口付近の溝壁面１７の曲率半径Ｒを２〜５ｍｍにし、口幅を１４〜２０ｍｍ（１０ｍｍ＋２×２ｍｍ〜１０ｍｍ＋５×２ｍｍ）とし、溝口付近での溝壁面１７が円柱の周面を成すようにする。
しかし、溝口付近での彎曲した溝壁面１７の曲率半径Ｒを必ずしも一定にする必要はなく、溝口付近での溝壁面１７を曲率半径Ｒの変化した楕円形断面形状や多角形断面形状にすることも出来る。
【００２０】
嵌込溝の溝底面２６は、溝口１１に近づくにつれて嵌込溝が深くなり、溝口１１に向けて傾斜した斜面ないし曲面にするとよい。
嵌込溝の溝口１１を、言わば、深さや溝幅Ｌが徐々に大きくなるラッパのような形状にする。
【００２１】
溝口の周縁２３が、金属製の嵌込溝１２の一部（端縁）として構成されており、溝縁１５を含む床暖房パネルの表面１６が金属製であれば、溝口１１の現れる床暖房パネル１４の側面は、繊維集積体や樹脂発泡体等の断熱材２７で構成されていてもよい。
何故なら、床暖房パネルの継ぎ目２４におけるチューブ２２の損傷２８と漏水は、嵌込溝１２や床暖房パネルの表面１６とチューブ２２との材質の相違に起因するものであるからである。
【図面の簡単な説明】
【００２２】
【図１】本発明に係る床暖房パネルと施工面の斜視図であり、一部を円で囲んで拡大して図示している。
【図２】本発明に係る床暖房パネルの施工面の平面図であり、一部を円で囲んで拡大して図示している。
【図３】従来の床暖房パネルの施工面の平面図であり、一部を円で囲んで拡大して図示している。
【符号の説明】
【００２３】
１１：溝口
１２：嵌込溝
１３：床下地
１４：床暖房パネル
１５：溝縁
１６：表面
１７：溝壁面
１８：一辺
１９：切欠き
２０：中央部の一辺
２１：一辺
２２：チューブ
２３：溝口の周縁
２４：継ぎ目
２５：施工面
２６：溝底面
２７：断熱材
２８：損傷
Ｌ：嵌込溝の溝幅
Ｐ：嵌込溝の溝口から入り込んだ位置
Ｑ：距離
Ｒ：曲率半径
Ｗ：溝口の口幅
ρ：位置ズレ
【図１】
2007120806.tif 000003
【図２】
2007120806.tif 000004
【図３】
2007120806.tif 000005